(57)【要約】【課題】    ゴルフのパターは、目標に対して真っ直ぐに動かしてボールを打つことが理想である。なぜならその方が方向性を出しやすいからである。しかし、パタークラブにはライ角があるため、通常のスイングをするとクラブは円弧を描くことになる。そのスイングではなかなか目標に対して方向性を出しにくい。【解決手段】    本発明は、パタークラブのシャフトに沿って、所定の長さの地面におよそ垂直なガイドシャフトを装着し練習をすることで、直線的な方向性の良いスイングを身につけることができるものである。【選択図】  図１
2006346381.tif 000002
【特許請求の範囲】
【請求項１】
パタークラブのシャフトに沿って、所定の長さのガイドシャフトを装着し、前記ガイドシャフトの両端は一方が手元付近、他方が地面をおよそ垂直に指すことを特徴とするパター練習器具。
【請求項２】
前記ガイドシャフトは、パタークラブのシャフトに対し任意に角度調節、取り外し可能である請求項１に記載のパター練習器具。
【請求項３】
前記ガイドシャフトの先端に、視覚に訴えるマークを備え、当該マークは、発光体、反射テープ、蛍光塗料の塗布体の少なくともいずれかからなり、マークによりスイング軌道が視認できる請求項１に記載のパター練習器具。
【請求項４】
前記ガイドシャフトは、金属パイプ、プラスチックパイプ、カーボンパイプ、伸縮可能なパイプ、レーザー光線、ライトの光のいずれかからなる請求項１に記載のパター練習器具。
【発明の詳細な説明】
【技術分野】
【０００１】    本発明はゴルフの練習器具に関するものである。
【背景技術】
【０００２】    ゴルフのパターは、目標に対して真っ直ぐに動くことが理想である。なぜならその方が方向性を出しやすいからである。しかし、パタークラブにはライ角があるため、通常のスイングをするとパタークラブは円弧を描くことになる。そのスイングでは目標に対して方向性を出しにくい。【０００３】    そこで親指と人差し指でパターのグリップの先端をつまんで重力にまかせると、パタークラブのシャフトは地面に対して垂直になる。その状態で左右に振るとパタークラブは振り子のように振れる。振り子の動きは目標方向に対して直線的である。このようなスイングができればパターで目標を狙う場合、方向性が出しやすい。【０００４】    つまりパタークラブでボールを打つ場合、パタークラブのシャフトが地面と垂直になって、振り子のようにスイングできれば、目標に対して真っ直ぐにボールを打つことができる。【０００５】    なお、関連する先行技術文献として次のような文献がある。【０００６】
【特許文献１】      特許公開２００２−２０４８４６
【発明の開示】
【発明が解決しようとする課題】
【０００７】    つまりパタークラブのシャフトが、地面に対し垂直にあるのと同様のスイングをすることが出来れば、パタークラブは直線的に動き、方向性を出しやすい。【０００８】    すなわち本発明は、パタークラブを握る手元から、地面に垂直に伸びたシャフトがあるかのように、目から脳に情報を伝達することをその要旨とする。つまり手元の真下にシャフトがある感覚と意識を植え付け、パタークラブを目標に対して直線的に動かすスイングを、容易に身に付けることができる練習器具を提供することを目的とする。
【課題を解決するための手段】
【０００９】    上記の目的を達成するため、パタークラブのシャフトに沿って、所定の長さの、地面におよそ垂直なガイドシャフトを装着し、その地面におよそ垂直な前記ガイドシャフトの両端は、一方が手元、他方が地面を指すことを特徴とするゴルフ練習器具を提供する。【００１０】    前記ガイドシャフトは、前記パタークラブのシャフトに対し任意に角度調節、取り外し可能である。また前記ガイドシャフトの先端に、視覚に訴えるマークを備え、当該マークは、発光体、反射テープ、蛍光塗料の塗布体の少なくともいずれかからなり、マークによりスイング軌道が視認できるものである。【００１１】    さらに前記ガイドシャフトの中には伸縮自在で、その長さが調節できるものもある。【００１２】    そして前記ガイドシャフトの種類は、金属パイプ、プラスチックパイプ、カーボンパイプ、伸縮可能なパイプ、レーザー光線、ライトの光などがあり、どれも効果は同じである。
【発明の効果】
【００１３】    本発明の前記ガイドシャフトを、前記パタークラブにおよそ地面に対して垂直に装着する。その際前記パタークラブのフェース面の延長線上に、前記ガイドシャフト地面側先端が来るようにする。その状態でスイングすると、手元からおよそ地面に垂直にある前記ガイドシャフトを振る感覚になるため、目標に対して直線的に前記パタークラブを振ることができる。しかも前記ガイドシャフトはプレイヤーの身体に近いところにあるため、より直線的なスイングをしやすくなる。【００１４】    またアドレス時に、前記パタークラブのフェース面と、およそ地面に垂直である前記ガイドシャフトの地面側先端が、視覚上一つの大きな面としてイメージできるので、前記パタークラブのフェイス面を目標に対して垂直に構えやすくなる。よって方向性の良いパッティングが可能となる。【００１５】    またアイアンクラブに前記ガイドシャフトを装着して前記パタークラブと同様の練習をすると、アプローチにおいて理想的なスイングを身につけることができる。
【発明を実施するための最良の形態】
【００１６】    図１は本発明の第１実施例を示す。図１に示すように前記パタークラブに前記ガイドシャフトを装着する。前記ガイドシャフトの一方はクラブを握る手元付近を、他方は地面を指しており、地面と前記ガイドシャフトはおよそ垂直である。また、前記ガイドシャフトの地面側先端は前記パタークラブのフェース面の延長線上にあり、地面から数センチメートル程度離れている。【００１７】    練習する際は、家の床などの板目の直線部分や、絨毯やカーペットの直線の柄などに、前記ガイドシャフトの地面側先端を沿わせるようにスイングの練習をするとよい。【００１８】    そして以下には本発明のその他の実施例を上げる。【００１９】    前記ガイドシャフトのバリエーションを上げる。まずは前記ガイドシャフトがパイプ状の形態である場合である。先に示した図１の第１実施実例のようになる。材質は金属、プラスチィック、カーボンなどが考えられる。【００２０】    また、前記ガイドシャフトはレーザー光線やライトの光などを使っても、前記パイプと同様の効果を得られる。【００２１】    また前記パタークラブのシャフト側の固定具のバリエーションを上げる。一つは金具やプラスチィックなどを使ってねじなどで締め付け固定する形態である。簡単に取り外し可能である。【００２２】    もう一つはパタークラブシャフトがテーパー状であることを利用して、取り付け具も切れ込みのあるテーパーになった筒状の形にしておき、スライドさせることで固定する方法。同形状のゴムなどを挟み込み滑り止めとする。こちらも簡単に取り外し可能である。【００２３】    次に前記ガイドシャフト側の固定具のバリエーションを上げる。前記ガイドシャフトがパイプの場合、それを固定するためにＵ字状のボルトや、パイプの径に合わせて曲げてあるプレートなどで固定したり、文具にあるようなクリップ状のもので挟んで固定する。またそれらは容易に角度の調節ができる。【００２４】    また左打ち用も全て右打ち用と同様である。
【図面の簡単な説明】
【００２５】
【図１】ガイドシャフトを装着したパタークラブ
【符号の説明】
【００２６】    １パタークラブ
２取り付け具
３ガイドシャフト
【図１】
2006346381.tif 000003